(57)【要約】【課題】可動刃の刃体間に導入した毛髪の逃げ出しを抑制する刃体の形状を採用しつつも該刃体間への毛髪の導入性を向上させることができるバリカン刃を提供する。【解決手段】可動刃１５の刃体２０は、両側に切刃部２２，２３が形成され、その一方の第１切刃部２２が、少なくとも刃体２０の先端側において隣接の刃体２０側に向けて傾斜する形状に形成されるとともに、他方の第２切刃部２３が、刃体２０の基端から先端に亘り隣接の刃体２０とは反対側に向けて傾斜する形状に形成される。【選択図】図４
2010004993.tif 000002
【特許請求の範囲】
【請求項１】
刃体を複数並設してなる櫛状の固定刃と、刃体を複数並設し前記固定刃に対して並設方向に往復摺動可能に構成される櫛状の可動刃とを備え、前記固定刃の刃体と前記可動刃の刃体とで毛髪をその摺動方向に挟んで切断するように構成されたバリカン刃であって、
前記可動刃の刃体は、両側に切刃部が形成されるものであり、隣接する刃体の対向する切刃部の一方が、少なくとも前記刃体の先端側において隣接の刃体側に向けて傾斜する第１切刃部として形成されるとともに、該隣接する刃体の対向する切刃部の他方が、前記刃体の基端から先端に亘り隣接の刃体とは反対側に向けて傾斜する第２切刃部として形成されたことを特徴とするバリカン刃。
【請求項２】
請求項１に記載のバリカン刃において、
前記可動刃の刃体は、一方側の切刃部が前記第１切刃部、他方側の切刃部が前記第２切刃部で構成されたことを特徴とするバリカン刃。
【請求項３】
請求項１に記載のバリカン刃において、
前記可動刃の刃体は、交互に配置される第１及び第２刃体よりなり、
前記第１刃体は、両側の切刃部がともに前記第１及び第２切刃部のいずれか一方で構成され、
前記第２刃体は、両側の切刃部がともに前記第１及び第２切刃部のいずれか他方で構成されたことを特徴とするバリカン刃。
【請求項４】
請求項１〜３のいずれか１項に記載のバリカン刃において、
前記第１切刃部は、前記刃体の基端から中間部にかけて隣接する刃体とは反対側に向けて直線状に傾斜するとともに、前記中間部から先端にかけて隣接する刃体側に向けて直線状に傾斜するように形成され、
前記第２切刃部は、直線状に傾斜するように形成されることを特徴とするバリカン刃。
【請求項５】
請求項４に記載のバリカン刃において、
前記第１及び第２切刃部は、前記固定刃の両側に設けた切刃部とでなるはさみ角の角度が全切刃領域で同一となるよう形成したことを特徴とするバリカン刃。
【請求項６】
請求項１〜５のいずれか１項に記載のバリカン刃において、
前記可動刃は、並設方向と直交する直交方向の長さが短い刃体及び長い刃体を交互に配置して構成されたことを特徴とするバリカン刃。
【請求項７】
請求項６に記載のバリカン刃において、
前記短い刃体は、前記第２切刃部を有するものであり、
前記短い刃体の前記第２切刃部の先端角部における垂線が前記長い刃体の前記第１切刃部の先端角部よりも基端側を通る位置となるように、前記短い刃体の前記直交方向の長さを設定したことを特徴とするバリカン刃。
【請求項８】
請求項１〜７のいずれか１項に記載のバリカン刃と、該バリカン刃の可動刃を可動させる駆動源とを備えたことを特徴とする電動バリカン。
【発明の詳細な説明】
【技術分野】
【０００１】
本発明は、固定刃及び可動刃からなるバリカン刃、及びそのバリカン刃を備えた電動バリカンに関するものである。
【背景技術】
【０００２】
従来、刃体を複数並設してなる櫛状の固定刃及び可動刃を重ね、可動刃を固定刃に対して往復摺動させることで、可動刃の刃体間に導入された毛髪を可動刃及び固定刃とで挟みこんで切断する電動バリカンがある。
【０００３】
例えば、特許文献１に開示された電動バリカンでは、可動刃の刃体の長手方向（刃体の並設方向と直交する直交方向）位置によって可動刃の各刃体の並設方向の間隙が異なるようになっている。具体的には、可動刃の刃体の長手方向における先端側に並設方向に広がるように形成される幅広刃部が設けられており、各刃体の先端側における並設方向の間隙が比較的狭くなっている。そのため、可動刃の刃体間に導入された毛髪が刃体間に留まり易く、刃体間の先端側から毛髪が逃げ出ることを抑制している。
【特許文献１】特開２００８−８０１１１号公報
【発明の開示】
【発明が解決しようとする課題】
【０００４】
しかしながら、上記の電動バリカンでは、幅広刃部が設けられ可動刃の刃体間の先端側における並設方向の間隙が狭くなるように刃体が形成されているため、毛髪を導入する際にその毛髪が可動刃の刃体の先端側である幅広刃部と接触し、導入すべき毛髪が刃体間に導入されにくくなるという問題がある。
【０００５】
本発明は、上記課題を解決するためになされたものであって、その目的は、可動刃の刃体間に導入した毛髪の逃げ出しを抑制する刃体の形状を採用しつつも該刃体間への毛髪の導入性を向上させることができるバリカン刃及び電動バリカンを提供することにある。
【課題を解決するための手段】
【０００６】
上記課題を解決するために、請求項１に記載の発明は、刃体を複数並設してなる櫛状の固定刃と、刃体を複数並設し前記固定刃に対して並設方向に往復摺動可能に構成される櫛状の可動刃とを備え、前記固定刃の刃体と前記可動刃の刃体とで毛髪をその摺動方向に挟んで切断するように構成されたバリカン刃であって、前記可動刃の刃体は、両側に切刃部が形成されるものであり、隣接する刃体の対向する切刃部の一方が、少なくとも前記刃体の先端側において隣接の刃体側に向けて傾斜する第１切刃部として形成されるとともに、該隣接する刃体の対向する切刃部の他方が、前記刃体の基端から先端に亘り隣接の刃体とは反対側に向けて傾斜する第２切刃部として形成されたことをその要旨とする。
【０００７】
この発明では、可動刃の刃体は、両側に切刃部が形成され、隣接する刃体の対向する切刃部の一方が、少なくとも刃体の先端側において隣接の刃体側に向けて傾斜する第１切刃部として形成されるとともに、この隣接する刃体の対向する切刃部の他方が、刃体の基端から先端に亘り隣接の刃体とは反対側に向けて傾斜する第２切刃部として形成される。そのため、導入された毛髪が刃体の先端側において隣接の刃体側に向けて傾斜される第１切刃部により、刃体間に留まり易くなり、毛髪の逃げ出しを抑制することができる。更に、従来の様に刃体の先端側であるほど幅広の幅広刃部が形成される刃体と比較して、第２切刃部が隣接の刃体と反対側に向けて傾斜するように形成されることにより、刃体の先端側における刃体間の間隙を広くでき、刃体間への毛髪の導入性を向上することができる。
【０００８】
請求項２に記載の発明は、請求項１に記載のバリカン刃において、前記可動刃の刃体は、一方側の切刃部が前記第１切刃部、他方側の切刃部が前記第２切刃部で構成されたことをその要旨とする。
【０００９】
この発明では、一方側の切刃部が第１切刃部、他方側の切刃部が第２切刃部となる全て同一形状の刃体の可動刃にて、毛髪の逃げ出しの抑制と刃体間への毛髪の導入性の向上を図ることができる。
【００１０】
請求項３に記載の発明は、請求項１に記載のバリカン刃において、前記可動刃の刃体は、交互に配置される第１及び第２刃体よりなり、前記第１刃体は、両側の切刃部がともに前記第１及び第２切刃部のいずれか一方で構成され、前記第２刃体は、両側の切刃部がともに前記第１及び第２切刃部のいずれか他方で構成されたことをその要旨とする。
【００１１】
この発明では、両側に第１切刃部を有する線対称形状の第１刃体と、両側に第２切刃部を有する線対称形状の第２刃体とが交互に配置されて構成される可動刃にて、毛髪の逃げ出しの抑制と刃体間への毛髪の導入性の向上を図ることができる。
【００１２】
請求項４に記載の発明は、請求項１〜３のいずれか１項に記載のバリカン刃において、前記第１切刃部は、前記刃体の基端から中間部にかけて隣接する刃体とは反対側に向けて直線状に傾斜するとともに、前記中間部から先端にかけて隣接する刃体側に向けて直線状に傾斜するように形成され、前記第２切刃部は、直線状に傾斜するように形成されることをその要旨とする。
【００１３】
この発明では、第１切刃部は、刃体の基端から中間部にかけて隣接する刃体とは反対側に向けて傾斜するとともに、中間部から先端にかけて隣接する刃体側に向けて傾斜するように形成され、第２切刃部は、直線状に傾斜するように形成される。これにより、例えば可動刃の刃体の第１及び第２切刃部と、固定刃の刃体の切刃部とがなすはさみ角を適切な角度で常に一定にすることが容易にできる。
【００１４】
請求項５に記載の発明は、請求項４に記載のバリカン刃において、前記第１及び第２切刃部は、前記固定刃の両側に設けた切刃部とでなるはさみ角の角度が全切刃領域で同一となるよう形成したことをその要旨とする。
【００１５】
この発明では、第１及び第２切刃部は、固定刃の両側に設けた切刃部とでなるはさみ角の角度が全切刃領域で同一となるよう形成される。これにより、はさみ角を適切な角度（０度〜４０度の範囲で、特に２０度近傍）とすることで、容易に切断能力の向上を図ることができる。
【００１６】
請求項６に記載の発明は、前記可動刃は、並設方向と直交する直交方向の長さが短い刃体及び長い刃体を交互に配置して構成されたことをその要旨とする。
この発明では、可動刃は、並設方向と直交する直交方向の長さが短い刃体及び長い刃体を交互に配置して構成されるため、直交方向の長さが短い刃体の先端まで導入され、その後、その短い刃体の先端に位置する毛髪を長い刃体で切断することも可能となり、毛髪を切断する切断能力の向上に寄与することができる。
【００１７】
請求項７に記載の発明は、請求項６に記載のバリカン刃において、前記短い刃体は、前記第２切刃部を有するものであり、前記短い刃体の前記第２切刃部の先端角部における垂線が前記長い刃体の前記第１切刃部の先端角部よりも基端側を通る位置となるように、前記短い刃体の前記直交方向の長さを設定したことをその要旨とする。
【００１８】
この発明では、短い刃体は、第２切刃部が備えられ、この短い刃体の第２切刃部の先端角部における垂線が長い刃体の第１切刃部の先端角部よりも基端側を通る位置となるように、短い刃体の直交方向の長さが設定される。これにより、例えば可動刃の並設方向への往復摺動によって短い刃体の第２切刃部にて毛髪が切断されずに弾かれる場合、その毛髪はその第２切刃部の垂直方向への力を受けて弾かれるため、その弾かれた毛髪を長い刃体の第１切刃部の先端（先端角部）よりも基端側に位置しやすくなる。そのため、短い刃体の第２切刃部にて弾かれた毛髪の逃げ出しを抑制させることが可能となる。
【００１９】
請求項８に記載の発明は、請求項１〜７のいずれか１項に記載のバリカン刃と、該バリカン刃の可動刃を可動させる駆動源とを備えたことをその要旨とする。
この発明では、請求項１〜７のいずれか１項に記載のバリカン刃と、該バリカン刃の可動刃を可動させる駆動源とが備えられたことにより、請求項１〜７のいずれか１項に記載の効果と同様の効果を奏することができる電動バリカンを提供することができる。
【発明の効果】
【００２０】
本発明によれば、可動刃の刃体間に導入した毛髪の逃げ出しを抑制する刃体の形状を採用しつつも該刃体間への毛髪の導入性を向上させることができるバリカン刃及び電動バリカンを提供することができる。
【発明を実施するための最良の形態】
【００２１】
以下、本発明を具体化した一実施形態を図面に従って説明する。
図１（ａ）（ｂ）及び図２に示すように、本実施形態の電動バリカン１０は、基端側（図１（ａ）（ｂ）において下側）略半分が把持部１１をなすハウジング１２を有し、該ハウジング１２内の略中央部には駆動源としての電動モータ１３が収容されて固定されている。電動モータ１３の駆動力を伝達する駆動軸１３ａは、ハウジング１２の先端部に装着される刃ブロック１４まで延び、該刃ブロック１４の可動刃１５と駆動連結されている。
【００２２】
ハウジング１２内における電動モータ１３の基端側には、該モータ１３に電源供給を行う充電式のバッテリ１７が備えられ、該バッテリ１７近傍には制御回路１８が備えられている。また、ハウジング１２の把持部１１近傍の外周面には使用者が操作可能な操作スイッチ１９が備えられており、制御回路１８は、その操作スイッチ１９の操作に基づいてモータ１３の制御（例えばオン・オフ制御など）やバッテリ１７の充電制御を行っている。
【００２３】
そして、操作スイッチ１９の操作に基づいてモータ１３が駆動されると、該モータ１３の駆動力は駆動軸１３ａを介して刃ブロック１４の可動刃１５に伝達され、これにより刃ブロック１４では可動刃１５が固定刃１６に対して往復摺動し、可動刃１５と固定刃１６による毛髪の切断が行われるようになっている。尚、本実施形態では可動刃１５及び固定刃１６とでバリカン刃が構成されている。
【００２４】
図３及び図４に示すように、刃ブロック１４において、刃体１６ａを複数並設して櫛状に構成された固定刃１６と、刃体２０を複数並設して櫛状に構成され固定刃１６に対して刃体２０の並設方向に往復摺動可能に設けられる可動刃１５とが備えられている。因みに、可動刃１５は、ハウジング１２（図１参照）の外周面に設けられたダイヤル部材２１を回動させることで、固定刃１６の刃体１６ａの延びる方向に沿って進退可能に設けられ、これにより毛髪の刈り高さを調整することができるようになっている。
【００２５】
固定刃１６は、先細形状をなす同一形状の刃体１６ａを複数並設して櫛状に構成されており、各刃体１６ａの並設方向両側には切刃部１６ｂが形成されている。
可動刃１５は、前記固定刃１６の刃体１６ａよりも短く同一形状の刃体２０を複数並設して櫛状に構成されている。各刃体２０は、その並設方向両側に切刃部２２，２３が形成されており、その一方側を第１切刃部２２、他方側を第２切刃部２３で構成している。そして、第１切刃部２２は、刃体２０の基端から中間部Ａにかけて隣接の刃体２０とは反対側に向けて直線状に傾斜されるとともに、中間部Ａから先端にかけて隣接の刃体２０側に向けて直線状に傾斜するように形成されている。そして、第２切刃部２３は、刃体２０の基端から先端に亘り隣接の刃体２０とは反対側に向けて直線状に傾斜するように形成されている。また、隣接し合う刃体２０においては、第１切刃部２２と第２切刃部２３とが対向するように形成されている。尚、切刃部２２，２３は、可動刃１５の摺動方向に対して鋭角に傾斜したすくい面を有している。
【００２６】
可動刃１５の刃体２０の各切刃部２２，２３は、固定刃１６の切刃部１６ｂに対して傾斜してなるはさみ角αが、その全切刃領域において毛髪を挟みこんで切断するのに好適な角度（例えば０度〜４０度の範囲で、特に２０度近傍）となるように形成されている。
【００２７】
そして、モータ１３の駆動により可動刃１５が固定刃１６に対して往復摺動されると、毛髪が可動刃１５の刃体２０間に導入され、刃体２０と固定刃１６の刃体１６ａとで挟みこんでその毛髪が切断される。この時、可動刃１５の刃体２０間に導入された毛髪が刃体の先端側において隣接する刃体２０側に向けて傾斜される第１切刃部２２により、刃体２０間に留まり易くなり、毛髪の逃げ出しを抑制することができる。更に、従来の様に刃体の先端側であるほど幅広の幅広刃部が形成される刃体と比較して、第２切刃部２３が隣接の刃体２０と反対側に向けて傾斜するように形成されていることにより、刃体２０の先端側における刃体２０間の間隙を広くでき、刃体２０間への毛髪の導入性を向上することができる。これに加え、はさみ角αを適切な角度（０度〜４０度の範囲で、特に２０度近傍）とすることで、容易に切断能力の向上を図ることができる。
【００２８】
次に、本実施形態の特徴的な作用効果を記載する。
（１）可動刃１５の刃体２０は、両側に切刃部２２，２３が形成され、その一方の第１切刃部２２が、少なくとも刃体２０の先端側において隣接の刃体２０側に向けて傾斜する形状に形成されるとともに、他方の第２切刃部２３が、刃体２０の基端から先端に亘り隣接の刃体２０とは反対側に向けて傾斜する形状に形成され、本実施形態では、可動刃１５が一方側の切刃部が第１切刃部２２、他方側の切刃部が第２切刃部２３となる全て同一形状の刃体２０で構成される。これにより、導入された毛髪が刃体２０の先端側において隣接する刃体２０側に向けて傾斜される第１切刃部２２により、刃体２０間に留まり易くなり、毛髪の逃げ出しを抑制することができる。更に、従来の様に刃体の先端側であるほど幅広の幅広刃部が形成される刃体と比較して、第２切刃部２３が隣接の刃体２０と反対側に向けて傾斜するように形成されることにより、刃体２０の先端側における刃体２０間の間隙を広くでき、刃体２０間への毛髪の導入性を向上することができる。
【００２９】
（２）第１切刃部２２は、刃体２０の基端から中間部Ａにかけて隣接する刃体２０とは反対側に向けて直線状に傾斜するとともに、中間部Ａから先端にかけて隣接する刃体２０側に向けて直線状に傾斜するように形成され、第２切刃部２３は、直線状に傾斜するように形成される。これにより、例えば可動刃１５の刃体２０の切刃部２２，２３と固定刃１６の刃体１６ａの切刃部１６ｂとがなすはさみ角αを適切な角度で常に一定にすることが容易にできる。
【００３０】
（３）第１切刃部２２及び第２切刃部２３は、固定刃１６の両側に設けた切刃部１６ｂとでなるはさみ角αの角度が全切刃領域で同一となるよう形成される。これにより、はさみ角を適切な角度（０度〜４０度の範囲で、特に２０度近傍）とすることで、容易に切断能力の向上を図ることができる。
【００３１】
尚、本発明の実施形態は、以下のように変更してもよい。
・上記実施形態では、特に言及していないが、例えば図５に示すように、並設方向と直交する直交方向の長さが短い刃体３０及び長い刃体３１を交互に配置してもよい。このような構成とすることで、直交方向の長さが短い刃体３０の先端まで導入され、その後、その短い刃体３０の先端に位置する毛髪を長い刃体３１で切断することも可能となり、毛髪を切断する切断能力の向上に寄与することができる。
【００３２】
また上記の構成に加え、短い刃体３０は、第２切刃部２３を備え、この短い刃体３０の第２切刃部２３の先端角部２３ａにおける垂線Ｌが長い刃体３１の第１切刃部２２の先端角部２２ａよりも基端側を通る位置となるように、短い刃体３０の直交方向の長さとなる構成としてもよい。このような構成とすることで、例えば可動刃１５の並設方向への往復摺動によって短い刃体３０の第２切刃部２３にて毛髪が切断されずに弾かれる場合、その毛髪はその第２切刃部２３の垂直方向への力を受けて弾かれるため、その弾かれた毛髪を長い刃体３１の第１切刃部２２の先端（先端角部２２ａ）よりも基端側に位置しやすくなる。そのため、短い刃体３０の第２切刃部２３にて弾かれた毛髪の逃げ出しを抑制させることが可能となる。
【００３３】
・上記実施形態では、可動刃１５の刃体２０の一側面に第１切刃部２２、他側面に第２切刃部２３を備えて刃体２０を略同一形状に構成したが、これに限らない。例えば図６に示すように、可動刃１５の刃体４０，４１を交互に配置される第１刃体４０及び第２刃体４１で構成し、第１刃体４０は、両側の切刃部がともに第１切刃部２２で構成するとともに、第２刃体４１は、両側の切刃部がともに第２切刃部２３で構成してもよい。
【００３４】
・上記実施形態では、第１切刃部２２を２つの直線にて形成し、第２切刃部２３を１つの直線にて形成したが、これに限らない。例えば、第１切刃部２２を１つ若しくは３つ以上の直線にて形成してもよく、第２切刃部２３を２つ以上の直線にて形成してもよい。また、第１切刃部２２及び第２切刃部２３を湾曲形状に形成してもよい。
【００３５】
・上記実施形態では、第１切刃部２２及び第２切刃部２３と、固定刃１６の切刃部１６ｂがなすはさみ角αが同一となるような構成としたが、同一角度に構成しなくてもよい。
【図面の簡単な説明】
【００３６】
【図１】（ａ）（ｂ）は、本実施形態におけるバリカンの外観図である。
【図２】同上におけるバリカンの断面図である。
【図３】同上における刃ブロックの全体斜視図である。
【図４】同上における可動刃の形状について説明するための説明図である。
【図５】別例における可動刃の形状について説明するための説明図である。
【図６】別例における可動刃の形状について説明するための説明図である。
【符号の説明】
【００３７】
１０…電動バリカン、１３…電動モータ（駆動源）、１５…可動刃、１６…固定刃、１６ａ…刃体、１６ｂ…切刃部、２０…第１刃体、２１…第２刃体、２２…第１切刃部（切刃部）、２２ａ…先端角部、２３…第２切刃部（切刃部）、２３ａ…先端角部、３０…短い刃体、３１…長い刃体、４０…第１刃体、４１…第２刃体、Ａ…中間部、Ｌ…垂線、α…はさみ角。
【図１】
2010004993.tif 000003
【図２】
2010004993.tif 000004
【図３】
2010004993.tif 000005
【図４】
2010004993.tif 000006
【図５】
2010004993.tif 000007
【図６】
2010004993.tif 000008